(57)【要約】【課題】ノズルなどの着脱が便利な液体スプレーガンを提供する。【解決手段】液体スプレーガンは、スプレーヘッドハウジング１と、ノズルキャップ２と、ノズル３と、液体通路４と、気体通路５とを備え、スプレーヘッドハウジング１の先端側にノズルキャップ２及びノズル３が螺合によりそれぞれ着脱可能に装着される。ノズルキャップ２の先端にノズル３の噴射口と連通する開口２０が設けられており、ノズル３は液体通路４と気体通路５とそれぞれ連通する。【選択図】図１
0003213462.tif 000002
【実用新案登録請求の範囲】
【請求項１】
スプレーヘッドハウジング（１）と、ノズルキャップ（２）と、ノズル（３）と、液体通路（４）と、気体通路（５）とを備え、前記スプレーヘッドハウジングの先端側に前記ノズルキャップ及び前記ノズルが螺合によりそれぞれ着脱可能に装着され、前記ノズルキャップの先端に前記ノズルの噴射口と連通する開口（２０）が設けられており、前記ノズルは前記液体通路と前記気体通路とそれぞれ連通することを特徴とする液体スプレーガン。
【請求項２】
前記スプレーヘッドハウジングの端部が、交換可能な液体カップ（６）と接続し、前記液体カップの開口端が接続管（８）によって前記液体通路と連通することを特徴とする請求項１に記載の液体スプレーガン。
【請求項３】
前記液体カップの密封端にはゴム孔が開けられており、前記ゴム孔内に液体ボトルを挿入接続可能であることを特徴とする請求項２に記載の液体スプレーガン。
【請求項４】
前記スプレーヘッドハウジングの後端が、バックル（９）によってエアポンプハウジング（７）上に陥入接続することを特徴とする請求項１に記載の液体スプレーガン。
【請求項５】
前記エアポンプハウジング内に超小型のエアポンプ（７０）とモータ（７１）とリチウム電池（７２）とが取り付けられており、前記超小型のエアポンプのエア噴射端と前記気体通路とが連通し、前記モータと前記超小型のエアポンプとが回転係合しており、前記リチウム電池と前記モータとが回路で接続していることを特徴とする請求項４に記載の液体スプレーガン。
【請求項６】
前記エアポンプハウジングの端部に防水密封カバー（７３）と防振密封ゴムパッド（７４）とが設けられていることを特徴とする請求項４に記載の液体スプレーガン。
【請求項７】
前記スプレーヘッドハウジングの先端側にノズルブラケット（１０）が固定されており、前記ノズルブラケットには、前記ノズルキャップに形成された雄ねじ部（２０１）が螺合する雌ねじ部（１０１）と、前記ノズルに形成された雄ねじ部（３０１）が螺合する雌ねじ部（１０２）とが設けられていることを特徴とする請求項１に記載の液体スプレーガン。
【考案の詳細な説明】
【技術分野】
【０００１】
本考案は液体スプレーガンに関し、具体的には着脱が容易な液体スプレーガンに関する。
【背景技術】
【０００２】
スプレーガンは、液体又は圧縮空気を利用して迅速に放出する動力とする装置であり、通常は塗布や洗浄に用いられる。通常、スプレーガンは、ハウジングと、空気通路と、液体ノズルモジュールとを備えており、液体ノズルモジュールはハウジングの先端に固定されていて着脱が不可能である。しかし、長時間の塗布で使用する場合、液体媒体がスプレーガンの液体通路などの構造中に蓄積することによって、塗布効果によくない影響を及ぼし、また、続いて使用する際に汚染する可能性がある。また、エアポンプモジュールと液体管モジュールとハウジングとが一体に設置されており、携帯するのに不便であり、内部通路が洗浄しにくいなどの問題があった。
【考案の概要】
【考案が解決しようとする課題】
【０００３】
従来技術におけるノズルモジュールなどが着脱不可能な問題を解決するため、本考案は、従来のスプレーガンを改良し、ノズルなどの着脱が便利な液体スプレーガンを提供することを目的とする。
【課題を解決するための手段】
【０００４】
上記目的を達成するため、本考案の液体スプレーガンは、スプレーヘッドハウジングと、ノズルキャップと、ノズルと、液体通路と、気体通路とを備え、前記スプレーヘッドハウジングの先端側に前記ノズルキャップ及び前記ノズルが螺合によりそれぞれ着脱可能に装着され、前記ノズルキャップの先端に前記ノズルの噴射口と連通する開口が設けられており、前記ノズルは前記液体通路と前記気体通路とそれぞれ連通することを特徴とする。
【０００５】
また、前記スプレーヘッドハウジングの端部が、交換可能な液体カップと接続し、前記液体カップの開口端が接続管によって前記液体通路と連通するようにしてもよい。
【０００６】
また、前記液体カップの密封端にはゴム孔が開けられており、前記ゴム孔内に液体ボトルを挿入接続可能であるようにしてもよい。
【０００７】
また、前記スプレーヘッドハウジングの後端が、バックルによってエアポンプハウジング上に陥入接続するようにしてもよい。
【０００８】
また、前記エアポンプハウジング内に超小型のエアポンプとモータとリチウム電池とが取り付けられており、前記超小型のエアポンプのエア噴射端と前記気体通路とが連通し、前記モータと前記超小型のエアポンプとが回転係合しており、前記リチウム電池と前記モータとが回路で接続しているようにしてもよい。
【０００９】
また、前記エアポンプハウジングの端部に防水密封カバーと防振密封ゴムパッドとが設けられているようにしてもよい。
【００１０】
また、前記スプレーヘッドハウジングの先端側にノズルブラケットが固定されており、前記ノズルブラケットには、前記ノズルキャップに形成された雄ねじ部が螺合する雌ねじ部と、前記ノズルに形成された雄ねじ部が螺合する雌ねじ部とが設けられているようにしてもよい。
【考案の効果】
【００１１】
本考案によれば、ノズルなどの着脱が便利な液体スプレーガンを提供することができる。
【００１２】
また、本考案によれば、ノズルキャップとノズルは共に着脱可能であり、交換と内部の液体通路の洗浄に便利である。
【００１３】
また、本考案によれば、液体カップは交換可能に接続しており、本考案の液体スプレーガンは、異なる用途の塗布に適している。
【００１４】
また、本考案によれば、エアポンプハウジングとスプレーヘッドハウジングは着脱可能に接続しており、携帯と内部の通路の洗浄に便利である。
【図面の簡単な説明】
【００１５】
【図１】本考案の実施の形態に係る液体スプレーガンの全体構造を示す図である。
【図２】本考案の実施の形態に係る液体スプレーガンの分解構造を示す図である。
【考案を実施するための形態】
【００１６】
以下、図面を参照しながら本考案の実施の形態に係る液体スプレーガンの構造について詳細に説明する。
【００１７】
図１及び図２に示すように、本考案の実施の形態に係る液体スプレーガンは、スプレーヘッドハウジング１と、ノズルキャップ２と、ノズル３と、液体通路４と、気体通路５とを備えている。ノズルキャップ２の外周には雄ねじ部２０１が形成されており、ノズル３の外周にも雄ねじ部３０１が形成されている。スプレーヘッドハウジング１の先端側に、後述するノズルブラケット１０を介して、ノズルキャップ２及びノズル３が螺合によりそれぞれ着脱可能に装着される。ノズルキャップ２の先端にノズル３の噴射口と連通する開口２０が設けられており、ノズル３は液体通路４と気体通路５とそれぞれ連通する。
【００１８】
本考案の実施の形態に係る液体スプレーガンのノズルキャップ２は、ノズル３との接続を図示しないねじ山によって調節することも可能であり、この場合には、ノズルキャップ２は正回転／逆回転によって進入／退出して、ノズルキャップ２の先端の開口２０とノズル３の噴射口との距離を調節可能である。これにより、ノズル３から噴射される液体の圧力及び噴射される液体の量を変更でき、噴射される液体のミストの質が良く、噴霧が均一で、液滴の流出が無い。この場合には、ノズル３は図示しないねじ山或いはボルトによって着脱可能に装着され、ノズルキャップ２も着脱可能であり、ノズル３の交換と内部の液体通路４の洗浄に便利である。
【００１９】
本実施形態において、スプレーヘッドハウジング１の端部には交換可能な液体カップ６が接続され、液体カップ６の開口端が接続管８によって液体通路４と接続する。さらに、液体カップ６の密封端にはゴム孔が開けられており、ゴム孔内に液体ボトルを挿入接続可能である。
【００２０】
液体カップ６は交換接続が可能であり、異なる液体塗料、顔料又は化粧水、美容液、リキッドファンデーションなどの化粧料を収容した液体カップ６に交換できるので、本実施形態の液体スプレーガンは異なる用途の塗布に適用可能である。液体カップ６のゴム孔には一定の伸縮性があり、ボトル口のサイズが異なる液体ボトルを挿入接続可能である。液体カップ６が液体ボトルと接続することにより、液体ボトル中の液体が液体カップ６と液体通路４を通過し、ノズル３から噴射される。
【００２１】
本実施形態において、スプレーヘッドハウジング１の後端にはエアポンプハウジング７が接続しており、エアポンプハウジング７はバックル９によってスプレーヘッドハウジング１に陥入する。エアポンプハウジング７とスプレーヘッドハウジング１とは着脱可能に接続しており、携帯と内部の液体通路４と気体通路５の洗浄に便利である。
【００２２】
本実施形態において、エアポンプハウジング７内には超小型のエアポンプ７０とモータ７１とリチウム電池７２が取り付けられており、超小型のエアポンプ７０のエア噴射端と気体通路５とが連通し、モータ７１と超小型のエアポンプ７０とが回転係合しており、リチウム電池７２とモータ７１とが回路で接続している。リチウム電池７２はモータ７１にエネルギーを提供し、モータ７１は超小型のエアポンプ７０を駆動して回転し、超小型のエアポンプ７０中の圧縮空気が、エア噴射端と気体通路５を経て、ノズル３の噴射口の周囲に到達し、気体の押力作用でノズル３内の液体を噴射すると共に十分にミスト化する。エアポンプハウジング７内には集積回路板や充電ソケットも装着されており、集積回路板と、超小型のエアポンプ７０とモータ７１とリチウム電池７２とが電気的に接続する。充電ソケットはリチウム電池７２を充電するためのものである。
【００２３】
最適化された方案として、本実施形態において、エアポンプハウジング７の端部に防水密封カバー７３と防振密封ゴムパッド７４が設けられている。防水密封カバー７３と防振密封ゴムパッド７４の設置は、本実施形態の液体スプレーガンに一定の防水性と防振性をもたらす。エアポンプハウジング７には動作指示ランプと誘導スイッチと電源スイッチとが更に設置されており、動作指示ランプは、集積回路板と誘導スイッチとにそれぞれ接続しており、電源スイッチは超小型のエアポンプ７０とモータ７１の電源供給を制御するのに用いられる。
【００２４】
本実施形態において、スプレーヘッドハウジング１の先端側にノズルブラケット１０が固定されており、ノズルブラケット１０はノズルキャップ２及びノズル３とそれぞれ着脱可能に接続している。スプレーヘッドハウジング１とノズルブラケット１０とは一体に設けられており、ノズルブラケット１０には、ノズルキャップ２に形成された雄ねじ部２０１が螺合する雌ねじ部１０１と、ノズル３に形成された雄ねじ部３０１が螺合する雌ねじ部１０２とが設けられている。ノズルキャップ２及びノズル３は、ノズルブラケット１０内をそれぞれ正回転／逆回転することによってノズルブラケット１０内をそれぞれ進入／退出するので、取り付け、交換が便利になり、液体通路４の洗浄も容易になる。
【００２５】
以上、実施の形態をあげて本考案を説明したが、本考案の望ましい実施形態に過ぎず、本考案はこれに限定されるものではなく、種々変形が可能である。一般的に、本考案の実質的な内容を基礎にした、いかなる修正や同等の交換や簡単な改良なども全て、本考案の保護範囲内に含まれる。
【符号の説明】
【００２６】
１      スプレーヘッドハウジング
１０    ノズルブラケット
１０１，１０２  雌ねじ部
２      ノズルキャップ
２０    開口
２０１  雄ねじ部
３      ノズル
３０１  雄ねじ部
４      液体通路
５      気体通路
６      液体カップ
７      エアポンプハウジング
７０    超小型のエアポンプ
７１    モータ
７２    リチウム電池
７３    防水密封カバー
７４    防振密封ゴムパッド
８      接続管
９      バックル
【図１】
0003213462.tif 000003
【図２】
0003213462.tif 000004